(57)【要約】【課題】撮影時にストロボ発光部が撮像レンズの下方に位置した状態で発光することを防止することができる撮影装置及びその制御方法を提供する。【解決手段】デジタルカメラ２の姿勢が、ストロボ発光部１２が撮像レンズ１０よりも下方に位置する姿勢となったことを検出して検出信号を出力する姿勢検出センサ１７を備え、デジタルカメラ２における各種処理を行うＣＰＵ３３は、姿勢検出センサ１７から検出信号が入力されると、ＬＣＤドライバ４４を介してＬＣＤ１８に「ストロボ位置が下です。上になるように構えてください。」といったメッセージを表示し、ストロボ発光部１２が撮像レンズ１０よりも下方に位置する状態であることを報知する。【選択図】        図４
2006339867.tif 000002
【特許請求の範囲】
【請求項１】
撮像レンズによって結像される被写体光を光電変換して撮像信号を得る撮像手段と、被写体を照射するストロボ発光部とを備えた撮影装置において、
撮影装置の姿勢が、前記ストロボ発光部が前記撮像レンズよりも下方に位置する姿勢であることを検出する姿勢検出センサと、
前記姿勢検出センサの検出に応じて、前記ストロボ発光部が前記撮像レンズよりも下方に位置する姿勢であることを報知する報知手段とを備えたことを特徴とする撮影装置。
【請求項２】
前記報知手段は、撮影装置の姿勢が、前記ストロボ発光部が前記撮像レンズよりも下方に位置する姿勢であることを示す画像を表示する画像表示装置であることを特徴とする請求項１記載の撮影装置。
【請求項３】
撮像レンズによって結像される被写体光を光電変換して撮像信号を得る撮像手段と、被写体を照射するストロボ発光部とを備えた撮影装置において、
撮影装置の姿勢が、前記ストロボ発光部が前記撮像レンズよりも下方に位置する姿勢であることを検出する姿勢検出センサと、
前記姿勢検出センサの検出に応じて、撮影装置におけるレリーズ動作を禁止するレリーズ禁止手段とを備えたことを特徴とする撮影装置。
【請求項４】
撮像レンズによって結像される被写体光を光電変換して撮像信号を得る撮像手段と、被写体を照射するストロボ発光部とを備えた撮影装置において、
撮影装置の姿勢が、前記ストロボ発光部が前記撮像レンズよりも下方に位置する姿勢であることを検出する姿勢検出センサと
被写体光量を測定する測光手段と、
前記測光手段の測定値及び予め設定されたプログラム線図に基づいて、前記撮像手段における露光時間及び絞り値を決定する露出決定手段とを備え、
前記露出決定手段は、前記姿勢検出センサの検出に応じて、用いるプログラム線図を、露出時間を短くするとともに絞り値を大きくする傾向を有するプログラム線図に変更することを特徴とする撮影装置。
【請求項５】
撮像レンズによって結像される被写体光を光電変換して撮像信号を得る撮像手段と、被写体を照射するストロボ発光部とを備えた撮影装置において、
撮影装置の姿勢が、前記ストロボ発光部が前記撮像レンズよりも下方に位置する姿勢であることを検出する姿勢検出センサと、
前記姿勢検出センサの検出に応じて、前記撮像信号を増幅して撮像系のＩＳＯ感度を上げる感度変更手段とを備えたことを特徴とする撮影装置。
【請求項６】
撮像レンズによって結像される被写体光を光電変換して撮像信号を得る撮像手段と、被写体を照射するストロボ発光部とを備えた撮影装置において、
撮影装置の姿勢が、前記ストロボ発光部が前記撮像レンズよりも下方に位置する姿勢であることを検出する姿勢検出センサと
被写体光量を測定する測光手段と、
撮影時に前記測光手段の測定値が予め定めた条件値以下であるときに前記ストロボ発光部を発光させる発光制御手段とを備え、
前記発光制御手段は、前記姿勢検出センサの検出に応じて、前記ストロボ発光部を発光させる条件値を下げることを特徴とする撮影装置。
【請求項７】
外部から与えられた振動を検出し、振動による光学像の振れを補正する振れ補正手段を備え、前記姿勢検出センサの検出があったときには前記振れ補正手段を作動させることを特徴とする請求項６記載の撮影装置。
【請求項８】
撮像レンズによって結像される被写体光を光電変換して撮像信号を得る撮像手段と、被写体を照射するストロボ発光部とを備えた撮影装置において、
撮影装置の姿勢が、前記ストロボ発光部が前記撮像レンズよりも下方に位置する姿勢であることを検出する姿勢検出センサと、
前記姿勢検出センサの検出に応じて、前記ストロボ発光部の発光を禁止する発光禁止手段とを備えたことを特徴とする撮影装置。
【請求項９】
被写体光量を測定する測光手段と、前記測光手段の測定値が予め定めた条件値以上にあるときには前記発光禁止手段による前記ストロボ発光部の発光禁止を解除する発光解除手段とを備えたことを特徴とする請求項８記載の撮影装置。
【請求項１０】
撮像レンズによって結像される被写体光を光電変換して撮像信号を得る撮像手段と、被写体を照射するストロボ発光部とを備えた撮影装置の制御方法において、
撮影装置の姿勢が、前記ストロボ発光部が前記撮像レンズよりも下方に位置する姿勢であるときには、これを姿勢検出センサによって検出し、前記ストロボ発光部が前記撮像レンズよりも下方に位置する姿勢であることを報知するか、撮影装置におけるレリーズ動作を禁止するか、露光時間及び絞り値を決定する際に用いるプログラム線図を変更するか、前記撮像信号を増幅して撮像系のＩＳＯ感度を上げるか、前記ストロボ発光部を発光させる被写体光量の条件値を下げるか、または前記ストロボ発光部の発光を禁止することを特徴とする撮影装置の制御方法。
【発明の詳細な説明】
【技術分野】
【０００１】
本発明は、ストロボ発光部を備えた撮影装置及びその制御方法に関するものである。
【背景技術】
【０００２】
撮像レンズによって結像された被写体像をＣＣＤイメージセンサなどの固体撮像素子でデジタルの画像データに変換し、内蔵メモリやメモリカードなどの記憶媒体に記憶する撮影装置（デジタルカメラ）が普及している。デジタルカメラには、被写体を照射するストロボ発光部が備えられ、被写体光量が少ない場合に自動的に発光するようにできるものが多い。
【０００３】
撮影装置の姿勢を縦位置として、ストロボ発光部を発光させて撮影を行う場合、ストロボ発光部が撮像レンズの上方に位置しないときには露光不足や被写体に影を生じてしまうことがあり、これを防ぐために撮影装置の姿勢を検出するスイッチ並びに横位置用閃光装置及び縦位置用閃光装置を備えて、該スイッチの検出に応じて発光させる閃光装置を選択制御することのできる撮影装置が知られている（例えば、特許文献１参照）。
【特許文献１】特開平５−３４１３６０
【発明の開示】
【発明が解決しようとする課題】
【０００４】
しかしながら、特許文献１記載の撮影装置では、横位置用と縦位置用とにストロボ発光部を複数備えるために撮影装置が大掛かりなものとなってしまっていた。また、撮影装置の姿勢が縦位置であっても、上下逆さまとなっている場合には縦位置用のストロボ発光部が撮像レンズの下方となってしまい、露光不足や被写体に影を生じるなどして好ましくない撮影となってしまっていた。
【０００５】
本発明は、撮影時にストロボ発光部が撮像レンズの下方に位置した状態で発光することを防止することができる撮影装置及びその制御方法を提供することを目的とする。
【課題を解決するための手段】
【０００６】
請求項１記載の撮影装置は、撮像レンズによって結像される被写体光を光電変換して撮像信号を得る撮像手段と、被写体を照射するストロボ発光部とを備えたものであって、撮影装置の姿勢が、前記ストロボ発光部が前記撮像レンズよりも下方に位置する姿勢であることを検出する姿勢検出センサと、前記姿勢検出センサの検出に応じて、前記ストロボ発光部が前記撮像レンズよりも下方に位置する姿勢であることを報知する報知手段とを備えたことを特徴とするものである。
【０００７】
また、前記報知手段は、撮影装置の姿勢が、前記ストロボ発光部が前記撮像レンズよりも下方に位置する姿勢であることを示す画像を表示する画像表示装置であることが好適である。
【０００８】
請求項３記載の撮影装置は、撮像レンズによって結像される被写体光を光電変換して撮像信号を得る撮像手段と、被写体を照射するストロボ発光部とを備えたものであって、撮影装置の姿勢が、前記ストロボ発光部が前記撮像レンズよりも下方に位置する姿勢であることを検出する姿勢検出センサと、前記姿勢検出センサの検出に応じて、撮影装置におけるレリーズ動作を禁止するレリーズ禁止手段とを備えたことを特徴とするものである。
【０００９】
請求項４記載の撮影装置は、撮像レンズによって結像される被写体光を光電変換して撮像信号を得る撮像手段と、被写体を照射するストロボ発光部とを備えたものであって、撮影装置の姿勢が、前記ストロボ発光部が前記撮像レンズよりも下方に位置する姿勢であることを検出する姿勢検出センサと、被写体光量を測定する測光手段と、前記測光手段の測定値及び予め設定されたプログラム線図に基づいて、前記撮像手段における露光時間及び絞り値を決定する露出決定手段とを備え、前記露出決定手段は、前記姿勢検出センサの検出に応じて、用いるプログラム線図を、露出時間を短くするとともに絞り値を大きくする傾向を有するプログラム線図に変更することを特徴とするものである。
【００１０】
請求項５記載の撮影装置は、撮像レンズによって結像される被写体光を光電変換して撮像信号を得る撮像手段と、被写体を照射するストロボ発光部とを備えた撮影装置において、撮影装置の姿勢が、前記ストロボ発光部が前記撮像レンズよりも下方に位置する姿勢であることを検出する姿勢検出センサと、前記姿勢検出センサの検出に応じて、前記撮像信号を増幅して撮像系のＩＳＯ感度を上げる感度変更手段とを備えたことを特徴とするものである。
【００１１】
請求項６記載の撮影装置は、撮像レンズによって結像される被写体光を光電変換して撮像信号を得る撮像手段と、被写体を照射するストロボ発光部とを備えたものであって、撮影装置の姿勢が、前記ストロボ発光部が前記撮像レンズよりも下方に位置する姿勢であることを検出する姿勢検出センサと、被写体光量を測定する測光手段と、撮影時に前記測光手段の測定値が予め定めた条件値以下であるときに前記ストロボ発光部を発光させる発光制御手段とを備え、前記発光制御手段は、前記姿勢検出センサの検出に応じて、前記ストロボ発光部を発光させる条件値を下げることを特徴とするものである。
【００１２】
また、外部から与えられた振動を検出し、振動による光学像の振れを補正する振れ補正手段を備え、前記姿勢検出センサの検出があったときには前記振れ補正手段を作動させることが好適である。
【００１３】
請求項８記載の撮影装置は、撮像レンズによって結像される被写体光を光電変換して撮像信号を得る撮像手段と、被写体を照射するストロボ発光部とを備えたものであって、撮影装置の姿勢が、前記ストロボ発光部が前記撮像レンズよりも下方に位置する姿勢であることを検出する姿勢検出センサと、前記姿勢検出センサの検出に応じて、前記ストロボ発光部の発光を禁止する発光禁止手段とを備えたことを特徴とするものである。
【００１４】
また、被写体光量を測定する測光手段と、前記測光手段の測定値が予め定めた条件値以上にあるときには前記発光禁止手段による前記ストロボ発光部の発光禁止を解除する発光解除手段とを備えることが好適である。
【００１５】
請求項１０記載の撮影装置の制御方法は、撮像レンズによって結像される被写体光を光電変換して撮像信号を得る撮像手段と、被写体を照射するストロボ発光部とを備えた撮影装置の制御方法であって、撮影装置の姿勢が、前記ストロボ発光部が前記撮像レンズよりも下方に位置する姿勢であるときには、これを姿勢検出センサによって検出し、前記ストロボ発光部が前記撮像レンズよりも下方に位置する姿勢であることを報知するか、撮影装置におけるレリーズ動作を禁止するか、露光時間及び絞り値を決定する際に用いるプログラム線図を変更するか、前記撮像信号を増幅して撮像系のＩＳＯ感度を上げるか、前記ストロボ発光部を発光させる被写体光量の条件値を下げるか、または前記ストロボ発光部の発光を禁止することを特徴とするものである。
【発明の効果】
【００１６】
本発明によれば、撮影装置の姿勢が、ストロボ発光部が撮像レンズよりも下方に位置する姿勢であることを姿勢検出センサによって検出し、この検出に応じて、ストロボ発光部が撮像レンズよりも下方に位置する姿勢であることを報知するか、撮影装置におけるレリーズ動作を禁止するか、露光時間及び絞り値を決定する際に用いるプログラム線図を変更するか、撮像信号を増幅して撮像系のＩＳＯ感度を上げるか、ストロボ発光部を発光させる被写体光量の条件値を下げるか、またはストロボ発光部の発光を禁止することによって、撮影時にストロボ発光部の発光を不要または禁止とすることができるので、撮影時にストロボ発光部が撮像レンズの下方に位置した状態で発光することを防止または低減することができる。
【発明を実施するための最良の形態】
【００１７】
図１及び図２において、本発明を適用したデジタルカメラ２の外観を示す。図１及び図２に示すデジタルカメラ２の姿勢を横位置とし、後述する図３に示すデジタルカメラ２の姿勢を縦位置とする。図１に示すように、デジタルカメラ２の前面には、撮像レンズ１０が組み込まれたレンズ鏡胴１１及びストロボ発光部１２が設けられている。ストロボ発光部１２は、デジタルカメラ２を横位置としたときに撮像レンズ１０の斜め上方となるように配置されている。
【００１８】
デジタルカメラ２の上面には、レリーズボタン１３及び電源ボタン１４が設けられている。デジタルカメラ２の内部には、メモリカード１５（図４参照）が着脱自在に装填される。また、内部には、撮像機構を構成する各種部品のほか、デジタルカメラ２の姿勢を検出する姿勢検出センサ１７が埋設されている。
【００１９】
図２に示すように、デジタルカメラ２の背面には、液晶表示装置（ＬＣＤ）１８、ズーム操作ボタン１９及びカーソルボタン２０が設けられている。ＬＣＤ１８には、撮影した画像や、いわゆるスルー画像、あるいは各種メニュー画面が表示される。ズーム操作ボタン１９は、撮像レンズ１０のズームレンズをワイド側、テレ側にズーミング（変倍）させる。カーソルボタン２０はデジタルカメラ２の各種操作及び設定を行う際に操作される。ＬＣＤ１８に表示されるメニュー画面を見ながら、カーソルボタン２０を操作してデジタルカメラ２に指示を与えることで、撮影モードと再生モードの切替え、ストロボ発光のオン／オフ、プログラムＡＥのオン／オフなどの各種設定を行うことができる。プログラムＡＥとは、後述するプログラム線図に基づいてデジタルカメラ２の露光調整を自動的に行う機能である。なお、ＬＣＤ１８に代えてＥＬ（Ｅｌｅｃｔｒｏ  Ｌｕｍｉｎｅｓｃｅｎｃｅ）ディスプレイなどの電子表示装置を用いることも可能である。
【００２０】
レリーズボタン１３は、２段階押しのスイッチとなっている。ＬＣＤ１８におけるスルー画像によるフレーミングの後に、レリーズボタン１３を軽く押圧（半押し）すると、自動露光調整（ＡＥ）、自動焦点調整（ＡＦ）などの各種撮影準備処理が施される。この状態でレリーズボタン１３をもう１度強く押圧（全押し）すると、撮影準備処理が施された１画面分の撮像信号が画像データに変換された後、後述する画像処理および圧縮処理が施され、メモリカード１５に記録される。
【００２１】
デジタルカメラ２の縦位置の姿勢を図３に示す。図３に示すように、縦位置は、横位置から９０度回転させた姿勢であり、レリーズボタン１３が撮像レンズ１０の側方となる。縦位置には上下が転換した２通りの姿勢があり、図３（Ａ）に示すようにストロボ発光部１２が撮像レンズ１０の斜め上方となる姿勢と、図３（Ｂ）に示すようにストロボ発光部１２が撮像レンズ１０の斜め下方となる姿勢とがある。姿勢検出センサ１７は、ストロボ発光部１２が撮像レンズ１０よりも下方に位置する姿勢となったことを検出して検出信号を出力するものであり、傾斜することでオン／オフが切り換わる傾斜センサなどを適宜用いれば良い。
【００２２】
デジタルカメラ２の電気的構成を図４に示す。撮像レンズ１０には、レンズモータ３０が接続されている。また、絞り３１には、アイリスモータ３２が接続されている。これらのモータ３０，３２はステッピングモータであり、ＣＰＵ３３に接続されたモータドライバ３４，３５から送信される駆動パルスによって動作制御されて、レリーズボタン１３の半押しに伴う撮影準備処理を行う。
【００２３】
レンズモータ３０は、ズーム操作ボタン１９の操作に連動して、撮像レンズ１０のズームレンズをワイド側、あるいはテレ側に移動させる。また、被写体距離やズームレンズの変倍に応じて撮像レンズ１０のフォーカスレンズを移動させ、撮影条件が最適となるように焦点調整を行う。アイリスモータ３２は、絞り３１を動作させ、露出調整を行う。
【００２４】
撮像レンズ１０の背後には、撮像レンズ１０を透過した被写体光が撮像されるＣＣＤ３６が配置されている。ＣＣＤ３６には、ＣＰＵ３３によって制御されるタイミングジェネレータ（ＴＧ）３７が接続され、このＴＧ３７から入力されるタイミング信号（クロックパルス）により、電子シャッタによる露光時間が決定される。
【００２５】
ＣＣＤ３６から出力された撮像信号は、相関二重サンプリング回路（ＣＤＳ）３８に入力され、ＣＣＤ３６の各セルの蓄積電荷量に正確に対応したＲ、Ｇ、Ｂの画像データとして出力される。ＣＤＳ３８から出力された画像データは、増幅器（ＡＭＰ）３９で増幅され、Ａ／Ｄ変換器（Ａ／Ｄ）４０でデジタルの画像データに変換される。ＡＭＰ３９は、デジタルカメラ２のＩＳＯ感度（光を感じる能力）を変化させるものであり、ＩＳＯ感度を、ＩＳＯ２００、ＩＳＯ４００、ＩＳＯ８００、ＩＳＯ１６００の４段階に切り換える。
【００２６】
Ａ／Ｄ４０から出力された画像データは、画像信号処理回路４１に入力され、階調変換、ホワイトバランス補正、γ補正処理などの各種画像処理が施される。画像信号処理回路４１から出力された画像データは、ＳＤＲＡＭ４３に一旦格納され、ＬＣＤドライバ４４を介してＬＣＤ１８にスルー画像として表示される。
【００２７】
ＹＣ変換処理回路４５は、画像信号処理回路４１で各種画像処理が施された画像データをＳＤＲＡＭ４３から読み出し、輝度信号Ｙと色差信号Ｃｒ、Ｃｂとに変換する。圧縮伸長処理回路４６は、この変換された画像データに対して、所定の圧縮形式（例えばＪＰＥＧ形式）で画像圧縮を施す。圧縮された画像データは、メディアコントローラ４７を経由してメモリカード１５に記録される。
【００２８】
ＣＰＵ３３には、姿勢検出センサ１７、レリーズボタン１３、ズーム操作ボタン１９及びカーソルボタン２０の他に、ＥＥＰＲＯＭ４９が接続されている。ＥＥＰＲＯＭ４９には、各種制御用のプログラムや設定情報などが記録されている。ＣＰＵ３３は、これらの情報をＥＥＰＲＯＭ４９から作業用メモリであるＳＤＲＡＭ４３に読み出して、各種処理を実行する。
【００２９】
バス４２には、ＡＥ／ＡＷＢ検出回路５０、ＡＦ検出回路５１、ストロボ制御回路５３及び通信Ｉ／Ｆ５４が接続されている。
【００３０】
ＡＥ／ＡＷＢ検出回路５０は、レリーズボタン１３の半押し時に、ＳＤＲＡＭ４３に記憶された画像データに基づいて被写体光量の測定と、光源の種類の検出とを行い、それらの被写体光量情報及び光源情報をＣＰＵ３３に送る。ＣＰＵ３３は、光源情報に基づいて、画像信号処理回路４１のホワイトバランスのパラメータを設定する。
【００３１】
また、ＣＰＵ３３は、プログラムＡＥがオンとなっている場合には、被写体光量情報及び予め設定されたプログラム線図に基づいて、適正となる絞り値、露光時間及びストロボ発光部１２を発光させるか否かを決定する。プログラム線図としては、標準として用いられる標準プログラム線図と、露出時間を短くするとともに絞り値を大きくする傾向の高速シャッタプログラム線図とが、データとしてＥＥＰＲＯＭ４９に記憶されており、ＣＰＵ３３は撮影条件に応じて適宜選択したデータをＥＥＰＲＯＭ４９から読み出す。標準プログラム線図の例を図５（Ａ）に、高速シャッタプログラム線図の例を図５（Ｂ）に示す。
【００３２】
ＡＦ検出回路５１は、レリーズボタン１３の半押し時に、ＳＤＲＡＭ４３に記憶された画像データから撮影する画像のコントラストを検出し、コントラスト情報をＣＰＵ３３に送る。ＣＰＵ３３は、コントラスト情報を参照し、撮影する画像のコントラストが最大となるように、モータドライバ３４を介してレンズモータ３０を駆動し、撮像レンズ１０の焦点調整を行う。
【００３３】
ストロボ制御回路５３は、ストロボ装置１２の動作を制御するものであり、通信Ｉ／Ｆ５４は、パーソナルコンピュータなどの外部機器とのデータの送受信を行うものである。
【００３４】
ＣＰＵ３３は、姿勢検出センサ１７から検出信号が入力されると、ＬＣＤドライバ４４を介してＬＣＤ１８に「ストロボ位置が下です。上になるように構えてください。」といったメッセージを表示し、ストロボ発光部１２が撮像レンズ１０よりも下方に位置する状態であることを報知する。このように、ＬＣＤ１８は、報知手段である画像表示装置として機能する。
【００３５】
次に、上記構成を有するデジタルカメラ２の動作について図６のフローチャートに基づいて説明する。なお、フローチャートにおいては姿勢検出センサ１７の検出信号に関連する動作のみを示し、撮影や再生といった他の動作は省略する。先ず、デジタルカメラ２で被写体の撮影を行う際には、使用者が電源スイッチ１４を操作してデジタルカメラ２に電源を投入し、カーソルボタン２０を操作して撮影モードとする。ＣＰＵ３３は、デジタルカメラ２の設定においてストロボ発光がオンとされているか否かを判断するとともに、姿勢検出センサ１７から検出信号が入力されているか否かを判断する。ストロボ発光がオンであり、且つ検出信号が入力されているときには、ＣＰＵ３３は、ＬＣＤドライバ４４を介してＬＣＤ１８に「ストロボ位置が下です。上になるように構えてください。」のメッセージを表示する。
【００３６】
ＬＣＤ１８にメッセージを表示することによって使用者に注意を促し、撮影時にストロボ発光部が撮像レンズの下方に位置した状態で発光することを防止することができる。なお、報知手段としては、メッセージを表示するＬＣＤ１８に限られず、例えば、スピーカを用いた音声による報知や、ランプの点灯による報知など、適宜の装置を用いて報知するようにしても良い。
【００３７】
また、ＣＰＵ３３が、姿勢検出センサ１７から検出信号が入力されたことに応じて、レリーズボタン１３の操作を無効化してデジタルカメラ２におけるレリーズ動作を禁止する、レリーズ禁止手段として機能することによって、撮影時にストロボ発光部１２が撮像レンズ１０の下方に位置した状態で発光することを防止することができる。
【００３８】
ＣＰＵ３３がレリーズ禁止手段として機能する場合のデジタルカメラ２の動作について図７のフローチャートに基づいて説明する。なお、フローチャートにおいては姿勢検出センサ１７の検出信号に関連する動作のみを示し、撮影や再生といった他の動作は省略する。先ず、デジタルカメラ２で被写体の撮影を行う際には、使用者が電源スイッチ１４を操作してデジタルカメラ２に電源を投入し、カーソルボタン２０を操作して撮影モードとする。ＣＰＵ３３は、デジタルカメラ２の設定においてストロボ発光がオンとされているか否かを判断するとともに、姿勢検出センサ１７から検出信号が入力されているか否かを判断する。ストロボ発光がオンであり、且つ検出信号が入力されているときには、ＣＰＵ３３はレリーズ禁止処理を行う。レリーズ禁止処理では、レリーズボタン１３が全押しされても、これを無効化することによって、レリーズ動作を禁止する。
【００３９】
また、測光手段として被写体光量を測定したＡＥ／ＡＷＢ検出回路５０から入力された被写体光量情報と、予め設定されたプログラム線図とに基づいて、露出決定手段としてＣＰＵ３３が決定した適正となる露光時間が所定の時間（例えば１／１２５秒）以上となることを、ストロボ発光部１２を発光させる条件とした場合に、姿勢検出センサ１７から検出信号が入力されたことに応じて、用いるプログラム線図を高速シャッタプログラム線図に変更することによって、露光時間がストロボ発光部１２の発光条件以上となる場合を少なくすることができ、撮影時にストロボ発光部１２が撮像レンズ１０の下方に位置した状態で発光することを低減することができる。
【００４０】
姿勢検出センサ１７から検出信号が入力されたことに応じて、用いるプログラム線図を高速シャッタプログラム線図に変更する場合のデジタルカメラ２の動作について図８のフローチャートに基づいて説明する。なお、フローチャートにおいては姿勢検出センサ１７の検出信号に関連する動作のみを示し、撮影や再生といった他の動作は省略する。先ず、デジタルカメラ２で被写体の撮影を行う際には、使用者が電源スイッチ１４を操作してデジタルカメラ２に電源を投入し、カーソルボタン２０を操作して撮影モードとする。ＣＰＵ３３は、デジタルカメラ２の設定においてプログラムＡＥがオンとされているか否か、ストロボ発光がオンとされているか否か、及び、姿勢検出センサ１７から検出信号が入力されているか否かを判断する。プログラムＡＥ及びストロボ発光がオンであり、且つ検出信号が入力されているときには、ＣＰＵ３３は、高速シャッタープログラム線図に基づいて露光調整を自動的に行う高速シャッタープログラムＡＥの処理を行う。高速シャッタープログラムＡＥの処理では、例えば、標準プログラム線図に基づいた場合にはＥＶ値が１２以下のときに露光時間が１／１２５秒以上となるが、高速シャッタプログラム線図に基づいた場合にはＥＶ値が１０以下のときに露光時間が１／１２５秒以上となる。このように、露光時間がストロボ発光部１２の発光条件以上となる場合を少なくすることができ、撮影時にストロボ発光部１２が撮像レンズ１０の下方に位置した状態で発光することを低減することができる。
【００４１】
また、ＣＰＵ３３及びＡＭＰ３９が、姿勢検出センサ１７から検出信号が入力されたことに応じて、ＩＳＯ感度を上げる感度変更手段として機能することによって、ストロボ発光部１２を発光させなくとも適正な露光調整を行うことができるＥＶ値の下限を下げて、撮影時にストロボ発光部１２が撮像レンズ１０の下方に位置した状態で発光することを低減することができる。
【００４２】
姿勢検出センサ１７から検出信号が入力されたことに応じて、ＩＳＯ感度を上げるデジタルカメラ２の動作について図９のフローチャートに基づいて説明する。なお、フローチャートにおいては姿勢検出センサ１７の検出信号に関連する動作のみを示し、撮影や再生といった他の動作は省略する。先ず、デジタルカメラ２で被写体の撮影を行う際には、使用者が電源スイッチ１４を操作してデジタルカメラ２に電源を投入し、カーソルボタン２０を操作して撮影モードとする。通常、デジタルカメラ２は標準感度設定となっている。標準感度設定では、撮影条件に対応してＡＭＰ３９で増幅されるＩＳＯ感度が予め設定されており、例えば、ストロボ発光部１２を発光させる場合のＩＳＯ感度はＩＳＯ２００と設定される。
【００４３】
適正な露光調整を行うためにストロボ発光部１２を発光させる必要がある場合であって、姿勢検出センサ１７から検出信号が入力されているとき、ＣＰＵ３３は、標準感度設定から高感度設定に変更する。高感度設定では、撮影条件に対応してＡＭＰ３９で増幅されるＩＳＯ感度が、標準感度設定で設定されているものよりも高いものとなる。例えば、標準感度設定でストロボ発光部１２を発光させる場合のＩＳＯ感度がＩＳＯ２００である場合に、姿勢検出センサ１７からの検出信号に応じてＩＳＯ４００に変更することにより、ストロボ発光部１２を発光させなくとも適正な露光調整が行える場合を増やすことができ、撮影時にストロボ発光部１２が撮像レンズ１０の下方に位置した状態で発光することを低減することができる。
【００４４】
また、ＡＥ／ＡＷＢ検出回路５０から入力された被写体光量情報に基づいて、被写体光量の測定値が予め定めた条件値以下であるときにストロボ発光部１２を発光させる発光制御手段として機能するＣＰＵ３３が、姿勢検出センサ１７から検出信号が入力されたことに応じて条件値を下げることによって、撮影時にストロボ発光部１２が撮像レンズ１０の下方に位置した状態で発光することを低減することができる。
【００４５】
姿勢検出センサ１７から検出信号が入力されたことに応じて、ＣＰＵ３３が、ストロボ発光部１２を発光させる条件値を下げる場合のデジタルカメラ２の動作について図１０のフローチャートに基づいて説明する。なお、フローチャートにおいては姿勢検出センサ１７の検出信号に関連する動作のみを示し、撮影や再生といった他の動作は省略する。先ず、デジタルカメラ２で被写体の撮影を行う際には、使用者が電源スイッチ１４を操作してデジタルカメラ２に電源を投入し、カーソルボタン２０を操作して撮影モードとする。ＡＥ／ＡＷＢ検出回路５０における被写体光量の測定値が予め定めた条件値以下であるときに、ＣＰＵ３３は、適正な露光調整を行うためにストロボ発光部１２を発光させる必要があると判断する。このとき、姿勢検出センサ１７から検出信号が入力されていると、ＣＰＵ３３は、ストロボ発光条件値減少処理を行い、条件値を下げる。例えば、デジタルカメラ２の姿勢が横位置のときにはＥＶ値８以下であるときにストロボ発光部１２を発光させるように設定されている場合、姿勢検出センサ１７から検出信号が入力されたことに応じて、ＣＰＵ３３は条件値のＥＶ値を７に下げる。これにより、被写体光量の測定値が条件値以下となる場合を少なくすることができ、撮影時にストロボ発光部１２が撮像レンズ１０の下方に位置した状態で発光することを低減することができる。
【００４６】
なお、姿勢検出センサ１７から検出信号が入力されたことに応じて、ＣＰＵ３３が、ストロボ発光部１２を発光させる条件値を下げるデジタルカメラ２では、ストロボ発光部１２の発光がないときには、適正な露光調整を行うために露出時間が長くなってしまい、手ブレなどの振動によって撮影画像が劣化してしまうことが考えられる。そこで、手ブレなどの振動による光学像の振れを補正する振れ補正手段をデジタルカメラ２に設けることが好適である。なお、振れ補正手段としては、レンズ光学系の一部のレンズを移動させる装置や、レンズ光学系に組み込んだプリズムの形状を変化させる装置などを適宜用いれば良い。
【００４７】
振れ検出センサ６０と、振れ補正手段として機能する振れ補正装置６１とを組み込んだデジタルカメラ２の電気的構成を図１１に示す。振れ検出センサ６０は、デジタルカメラ２に外部から加えられた振れを検出し、検出された振れの方向と大きさを示す振れ検出信号をＣＰＵ３３に入力する。ＣＰＵ３３は、入力された振れ検出信号を受けて振れ補正装置６１を駆動する。振れ駆動装置６１は、レンズ鏡筒１１内に設けたシフトレンズと、シフトレンズを移動させるアクチュエータからなり、シフトレンズを移動させることによって、ＣＣＤ３６の光電面上に形成される光学像の振れを補正する。
【００４８】
振れ補正手段を組み込んだデジタルカメラ２の動作について図１２のフローチャートに基づいて説明する。なお、フローチャートにおいては姿勢検出センサ１７の検出信号に関連する動作のみを示し、撮影や再生といった他の動作は省略する。先ず、デジタルカメラ２で被写体の撮影を行う際には、使用者が電源スイッチ１４を操作してデジタルカメラ２に電源を投入し、カーソルボタン２０を操作して撮影モードとする。ＡＥ／ＡＷＢ検出回路５０における被写体光量の測定値が予め定めた条件値以下であるときに、ＣＰＵ３３は、適正な露光調整を行うためにストロボ発光部１２を発光させる必要があると判断する。このとき、姿勢検出センサ１７から検出信号が入力されていると、ＣＰＵ３３は、ストロボ発光条件値減少処理を行い、条件値を下げる。次に、ＣＰＵ３３は振れ補正処理を行い、振れ検出センサ６０から入力された振れ検出信号に応じて振れ補正装置６１を駆動する。これにより、ストロボ発光部１２の発光がなく、露出時間が長くなってしまうときでも、手ブレなどの振動によって撮影画像が劣化してしまうことを防止できる。
【００４９】
また、ＣＰＵ３３が、姿勢検出センサ１７から検出信号が入力されたことに応じてストロボ発光部１２の発光を禁止する発光禁止手段として機能することによって、撮影時にストロボ発光部１２が撮像レンズ１０の下方に位置した状態で発光することを防止することができる。なお、日中シンクロと呼ばれる、露出補正のためにストロボ発光部１２を発光させる場合もあり、この場合には、姿勢検出センサ１７から検出信号が入力された場合であっても、ストロボ発光部１２の発光を禁止しないことが好適である。即ち、ＣＰＵ３３が、ＡＥ／ＡＷＢ検出回路５０から入力された被写体光量情報に基づいて、被写体光量の測定値が予め定めた条件値以上であるときにはストロボ発光部１２の発光禁止を解除する発光解除手段として機能することが好適である。
【００５０】
ＣＰＵ３３が、発光禁止手段及び発光解除手段として機能する場合のデジタルカメラ２の動作について図１３のフローチャートに基づいて説明する。なお、フローチャートにおいては姿勢検出センサ１７の検出信号に関連する動作のみを示し、撮影や再生といった他の動作は省略する。先ず、デジタルカメラ２で被写体の撮影を行う際には、使用者が電源スイッチ１４を操作してデジタルカメラ２に電源を投入し、カーソルボタン２０を操作して撮影モードとする。ＣＰＵ３３は、デジタルカメラ２の設定においてストロボ発光がオンとされているか否か、姿勢検出センサ１７から検出信号が入力されているか否か、及び、被写体光量の測定値が予め定めた条件値以上であるか否かを判断する。ストロボ発光がオン且つ検出信号が入力されている場合には、ＣＰＵ３３は、ストロボ発光部１２の発光を禁止する。この場合において、被写体光量の測定値が予め定めた条件値以上であるときには、ＣＰＵ３３は、ストロボ発光部１２の発光禁止を解除する。
【００５１】
なお、上記実施形態では、ストロボ発光部１２はデジタルカメラ２に内蔵されていたが、ストロボ発光部はデジタルカメラ２の外部に装着するものであっても良い。
【図面の簡単な説明】
【００５２】
【図１】本発明を適用したデジタルカメラの正面外観斜視図である。
【図２】デジタルカメラの背面外観斜視図である。
【図３】デジタルカメラの姿勢の縦位置を示す正面図である。
【図４】デジタルカメラの電気的構成を示すブロック図である。
【図５】デジタルカメラで用いられるプログラム線図を示す説明図である。
【図６】デジタルカメラで実行される処理動作を示すフローチャートである。
【図７】デジタルカメラで実行される処理動作を示すフローチャートである。
【図８】デジタルカメラで実行される処理動作を示すフローチャートである。
【図９】デジタルカメラで実行される処理動作を示すフローチャートである。
【図１０】デジタルカメラで実行される処理動作を示すフローチャートである。
【図１１】デジタルカメラの電気的構成を示すブロック図である。
【図１２】デジタルカメラで実行される処理動作を示すフローチャートである。
【図１３】デジタルカメラで実行される処理動作を示すフローチャートである。
【符号の説明】
【００５３】
２  デジタルカメラ
１０  撮像レンズ
１２  ストロボ発光部
１３  レリーズボタン
１７  姿勢検出センサ
１８  ＬＣＤ
３３  ＣＰＵ
３６  ＣＣＤ
３９  ＡＭＰ
５０  ＡＥ／ＡＷＢ検出回路
６１  振れ補正装置
【図１】
2006339867.tif 000003
【図２】
2006339867.tif 000004
【図３】
2006339867.tif 000005
【図４】
2006339867.tif 000006
【図５】
2006339867.tif 000007
【図６】
2006339867.tif 000008
【図７】
2006339867.tif 000009
【図８】
2006339867.tif 000010
【図９】
2006339867.tif 000011
【図１０】
2006339867.tif 000012
【図１１】
2006339867.tif 000013
【図１２】
2006339867.tif 000014
【図１３】
2006339867.tif 000015